(57)【要約】      （修正有）【課題】無線通信ネットワークのどのリソースが基地局によって移動局に割り当てられるかを移動局が識別できるようにする３つのパラメータの中の第１及び第２のパラメータから得られる情報を決定する方法であって、割り当てられるリソースが、少なくとも１つのリソースからなる第１のクラスタと、少なくとも１つのリソースからなる第２のクラスタとに分割される方法を提供する。【解決手段】パラメータの１つの値を別の値と比較するステップと、移動局にどのリソースブロックグループが割り当てられるかを移動局が識別できるようにする第１及び第２のパラメータから得られる情報が取り得る各種値を示す第１及び第２の方法の中から１つの方法を選択するステップと、選択された方法と、第１及び第２のパラメータとに基づいて情報を決定するステップと、決定された情報を移動局に転送するステップと、を含む。【選択図】図７ａ
2011182385.tif 000002
【特許請求の範囲】
【請求項１】
総数（ＮRBG）のリソースの中から、無線通信ネットワークのどのリソースが基地局（ＢＳ）によって移動局（ＭＳ）に割り当てられるかを前記移動局が識別できるようにする３つのパラメータ（Ｍ、Ｎ、Ｌ；Ｐ、Ｌ、Ｍ）の中の、第１及び第２のパラメータから得られる情報を決定する方法であって、
前記割り当てられるリソースは、少なくとも１つのリソースからなる第１のクラスタと、少なくとも１つのリソースからなる第２のクラスタとに分割され、
前記第１のクラスタと第２のクラスタとは非連続的であって同数のリソースを含み、
前記方法は基地局で実行され、
前記方法は、
‐前記パラメータの１つの値を別の値と比較するステップと、
‐前記移動局にどのリソースが割り当てられるかを前記移動局が識別できるようにする前記第１及び第２のパラメータから得られる情報が取り得る各種値を示す第１及び第２の方法の中から１つの方法を選択するステップ（Ｓ７０２；Ｓ７５２）と、
‐前記選択された方法と、前記第１及び第２のパラメータと、前記リソースの総数とに基づいて前記情報を決定するステップ（Ｓ７０３；Ｓ７５３）と、
‐前記決定された情報及び第３のパラメータを前記移動局に転送するステップ（Ｓ７０５；Ｓ７５４）と、
を含む、方法において、
前記第１の方法において、前記第１のパラメータは各クラスタ内のリソース数（Ｍ）であり、前記第２のパラメータは前記移動局に割り当てられた最初のリソースのインデックス（Ｎ）であり、前記第３のパラメータは前記クラスタを隔てるリソースの数（Ｌ）であることを特徴とし、
前記第２の方法において、前記第１のパラメータは前記各クラスタを隔てるリソースの数（Ｌ）であり、前記第２のパラメータは前記２つのクラスタを隔てる最初のリソースのインデックス（Ｐ）であり、前記第３のパラメータは各クラスタ内のリソースの数（Ｍ）であることを特徴とする、方法。
【請求項２】
前記別の値と比較されるパラメータは前記第１のパラメータであり、
前記別の値が前記第３のパラメータ値である
ことを特徴とする請求項１に記載の方法。
【請求項３】
前記方法が、前記選択された方法を示す別の情報を転送する（Ｓ７０４）ステップを更に含むことを特徴とする請求項２に記載の方法。
【請求項４】
前記別の値と比較される前記パラメータが前記第３のパラメータであり、
前記別の値が、予め決定された閾値である
ことを特徴とする請求項１に記載の方法。
【請求項５】
総数（ＮRBG）のリソースの中から、無線通信ネットワークのどのリソースが基地局（ＢＳ）によって移動局（ＭＳ）に割り当てられるかを前記移動局が識別できるようにする３つのパラメータ（Ｍ、Ｎ、Ｌ；Ｐ、Ｌ、Ｍ）の中の、第１及び第２のパラメータを決定する方法であって、
前記割り当てられるリソースは、少なくとも１つのリソースからなる第１のクラスタと、少なくとも１つのリソースからなる第２のクラスタとに分割され、
前記第１及び第２のクラスタは非連続的であって同数のリソースを含み、
前記方法は移動局で実行され、
前記方法は、
‐第３のパラメータと、前記第１及び第２のパラメータから得られる情報とを受信するステップ（Ｓ１４００；Ｓ１４５０）と、
‐前記第１及び第２のパラメータから得られる情報が取り得る各種値を示す第１及び第２の方法の中から、１つの方法を選択するステップ（Ｓ１４０２；Ｓ１４５１）と、
‐前記第１及び第２のパラメータを、前記情報と、リソースの総数と、前記選択された方法とに基づいて決定するステップ（Ｓ１４０３；Ｓ１４５２）と
‐前記割り当てられたリソースを、前記第１、第２、第３のパラメータに基づいて識別するステップ（Ｓ１４０４；Ｓ１４５３）と、
を含む方法であって、
前記方法は、
前記第１の方法において、前記第１のパラメータは各クラスタ内のリソース数（Ｍ）であり、前記第２のパラメータは前記移動局に割り当てられた最初のリソースのインデックス（Ｎ）であり、前記第３のパラメータは前記各クラスタを隔てるリソースの数（Ｌ）であることを特徴とし、
前記第２の方法において、前記第１のパラメータは前記各クラスタを隔てるリソースの数（Ｌ）であり、前記第２のパラメータは前記２つのクラスタを隔てる最初のリソースのインデックス（Ｐ）であり、前記第３のパラメータは各クラスタ内のリソースの数（Ｍ）であることを特徴とする、方法。
【請求項６】
前記選択される方法は、前記選択される方法を示す別の受信情報から選択されることを特徴とする請求項５に記載の方法。
【請求項７】
総数（ＮRBG）のリソースの中から、無線通信ネットワークのどのリソースが基地局（ＢＳ）によって移動局（ＭＳ）に割り当てられるかを前記移動局が識別できるようにする３つのパラメータ（Ｍ、Ｎ、Ｌ；Ｐ、Ｌ、Ｍ）の中の、第１及び第２のパラメータから得られる情報を決定する装置であって、
前記割り当てられるリソースは、少なくとも１つのリソースからなる第１のクラスタと、少なくとも１つのリソースからなる第２のクラスタとに分割され、
前記第１のクラスタ及び第２のクラスタは非連続的であって同数のリソースを含み、
情報を決定するための前記装置が、
‐前記パラメータの１つの値を別の値と比較する手段と、
‐前記移動局にどのリソースが割り当てられるかを前記移動局が識別できるようにする前記第１及び第２のパラメータから得られる情報が取り得る各種値を示す第１及び第２の方法の中から１つの方法を選択する手段と、
‐前記選択された方法と、前記第１及び第２のパラメータと、リソースの総数とに基づいて情報を決定する手段と、
‐前記決定された情報と、第３のパラメータとを前記移動局に転送する手段と、
を含む装置であって、
前記装置は、
前記第１の方法において、前記第１のパラメータは各クラスタ内のリソース数（Ｍ）であり、前記第２のパラメータは前記移動局に割り当てられた最初のリソースのインデックス（Ｎ）であり、前記第３のパラメータは前記各クラスタを隔てるリソースの数（Ｌ）であることを特徴とし、
前記第２の方法において、前記第１のパラメータは前記各クラスタを隔てるリソースの数（Ｌ）であり、前記第２のパラメータは前記２つのクラスタを隔てる前記最初のリソースのインデックス（Ｐ）であり、前記第３のパラメータは各クラスタ内のリソースの数（Ｍ）であることを特徴とする、装置。
【請求項８】
総数（ＮRBG）のリソースの中から、無線通信ネットワークのどのリソースが基地局（ＢＳ）によって移動局（ＭＳ）に割り当てられるかを前記移動局が識別できるようにする３つのパラメータ（Ｍ、Ｎ、Ｌ；Ｐ、Ｌ、Ｍ）の中の、第１及び第２のパラメータを決定する装置であって、
前記割り当てられるリソースは、少なくとも１つのリソースからなる第１のクラスタと、少なくとも１つのリソースからなる第２のクラスタとに分割され、
前記第１のクラスタ及び第２のクラスタは非連続的であって同数のリソースを含み、
前記第１及び前記第２のパラメータを決定する前記装置は前記移動局に含まれ、
前記第１及び前記第２のパラメータを決定する前記装置は、
‐第３のパラメータと、前記第１及び第２のパラメータから得られる情報とを受信する手段と、
‐前記第１及び第２のパラメータから得られる情報が取り得る各種値を示す第１及び第２の方法の中から、１つの方法を選択する手段と、
‐前記情報と、前記リソースの総数と、前記選択された方法とに基づいて、前記第１及び第２のパラメータを決定する手段と
‐前記第１、第２、第３のパラメータに基づいて、前記割り当てられたリソースを識別する手段と
を含む装置であって、
前記装置は、
前記第１の方法において、前記第１のパラメータは各クラスタ内のリソース数（Ｍ）であり、前記第２のパラメータは前記移動局に割り当てられた最初のリソースのインデックス（Ｎ）であり、前記第３のパラメータは前記各クラスタを隔てるリソースの数（Ｌ）であることを特徴とし、
前記第２の方法において、前記第１のパラメータは前記各クラスタを隔てるリソースの数（Ｌ）であり、前記第２のパラメータは前記２つのクラスタを隔てる最初のリソースのインデックス（Ｐ）であり、前記第３のパラメータは各クラスタ内のリソースの数（Ｍ）であることを特徴とする、装置。
【請求項９】
プログラム可能な装置に直接ロード可能とすることができるコンピュータプログラムであって、
前記コンピュータプログラムが、プログラム可能な装置において実行されるときに、請求項１〜４のいずれか一項に記載の方法における前記各ステップを実施するためのコード部分又は命令を含む
コンピュータプログラム。
【請求項１０】
プログラム可能な装置に直接ロード可能とすることができるコンピュータプログラムであって、
前記コンピュータプログラムが、プログラム可能な装置において実行されるときに、請求項５または６に記載の方法における前記各ステップを実施するためのコード部分又は命令を含む
コンピュータプログラム。
【発明の詳細な説明】
【技術分野】
【０００１】
本発明は、概して、無線通信ネットワークのどのリソースが移動局に割り当てられるかを移動局が識別できるようにする３つのパラメータの中の第１及び第２のパラメータから得られる情報を決定するための方法及び装置に関する。
【０００２】
より具体的には、本発明は移動局に割り当てられる、無線通信ネットワークのリソースのシグナリングの分野に関する。
【背景技術】
【０００３】
直交周波数分割多重方式（ＯＦＤＭ）は、周波数分割多重方式（ＦＤＭ）の原理に基づいており、デジタル変調方式として実現される。伝送すべきビットストリームは、複数の並列のビットストリームに分割される（通常では、数十〜数千）。利用可能な周波数スペクトルは、複数のサブチャネルに分割される。低レートの各ビットストリームは、ＰＳＫやＱＡＭ等の標準的な変調方式を使用してサブキャリアを変調することにより１つのサブチャネルで伝送される。各サブキャリア周波数は、変調されたデータストリームが互いに直交するように、即ち、サブチャネル間のクロストークが除去されるように選択される。
【０００４】
ＯＦＤＭの主な利点は、複雑なイコライゼーションフィルタなしでも、厳しいチャネル条件（例えば、マルチパスや狭周波数帯干渉）に対応できるということである。チャネルイコライゼーションは、高速に変調される１つの広帯域信号ではなく、低速で変調される多くの狭帯域信号を使用することで簡略化される。
【０００５】
ＤＦＴ拡散ＯＦＤＭ又はＳＣ−ＦＤＭＡ（シングルキャリア周波数分割多元接続）と呼ばれる異なった種類の方式が開発されている。このようなシステムでは、伝送すべき各シンボルはＤＦＴ（離散フーリエ変換）によって一組の伝送周波数上に拡散され、結果としてもたらされる信号は従来のＯＦＤＭＡ伝送システムで送信される。
【０００６】
符号化／復号の実装については、周波数ドメインでの実装が好ましいと考えられるが、実際には周波数ドメイン又は時間ドメインのいずれかで行われる。
【０００７】
使用されるサブキャリアが連続的なサブバンドに割り当てできないため、複数のクラスタへの分離の必要がある場合がある。これにより、クラスタードＳＣ−ＦＤＭＡ(Clustered SC-FDMA)が生まれた。これは、ローカライズされたＳＣ−ＦＤＭＡに対してより柔軟なサブキャリアマッピングを行えるという利点があり、スケジューリングの向上及びマルチユーザの多重化の向上につながる。
【先行技術文献】
【特許文献】
【０００８】
【特許文献１】欧州特許出願公開第２１３６５０３Ａ２号明細書
【発明の概要】
【発明が解決しようとする課題】
【０００９】
本発明の目的は、通信装置に割り当てられるサブキャリアが連続的でなく、かつ割り当てられたサブキャリアのシグナリングが制限される通信システムを提供することにある。
【課題を解決するための手段】
【００１０】
したがって、本発明は、基地局によって、無線通信ネットワークのどのリソースが移動局に割り当てられるかを移動局が識別できるようにする３つのパラメータの中の第１及び第２のパラメータから得られる情報を決定する方法であって、割り当てられるリソースは、少なくとも１つのリソースからなる第１のクラスタと、少なくとも１つのリソースからなる第２のクラスタとに分割され、第１のクラスタ及び第２のクラスタは非連続的であって同数のリソースを含む方法であって、前記方法は、
パラメータの１つの値を別の値と比較するステップと、
移動局にどのリソースが割り当てられるかを移動局が識別できるようにする第１及び第２のパラメータから得られる情報が取り得る各種値を示す第１及び第２の方法の中から１つの方法を選択するステップと、
選択された方法と、第１及び第２のパラメータとに基づいて情報を決定するステップと、
決定された情報を移動局に転送するステップと、を含むことを特徴とする方法に関する。
【００１１】
本発明は、無線通信ネットワークのどのリソースが基地局によって移動局に割り当てられるかを移動局が識別できるようにする３つのパラメータの中の第１及び第２のパラメータから得られる情報を決定する装置であって、割り当てられるリソースは、少なくとも１つのリソースからなる第１のクラスタと、少なくとも１つのリソースからなる第２のクラスタとに分割され、第１のクラスタ及び第２のクラスタは非連続的であって同数のリソースを含む、装置において、前記装置は、
パラメータの１つの値を別の値と比較する手段と、
移動局にどのリソースが割り当てられるかを移動局が識別できるようにする第１及び第２のパラメータから得られる情報が取り得る各種値を示す第１及び第２の方法の中から１つの方法を選択する手段と、
選択された方法と、第１及び第２のパラメータとに基づいて情報を決定する手段と、
決定された情報を移動局に転送する手段と、を含むことを特徴とする装置に関する。
したがって、割り当てられるリソースのシグナリングを抑制した状態で、無線通信ネットワークの非連続的なリソースを移動局に割り当てることができる。
【００１２】
特定の特徴によれば、第１の方法において、第１のパラメータは各クラスタ内のリソース数であり、第２のパラメータは移動局に割り当てられた最初のリソースのインデックスであり、第３のパラメータはクラスタを隔てるリソースの数である。
【００１３】
特定の特徴によれば、第２の方法において、第１のパラメータは各クラスタを隔てるリソースの数であり、第２のパラメータは２つのクラスタを隔てる最初のリソースのインデックスであり、第３のパラメータは各クラスタ内のリソースの数である。
【００１４】
特定の特徴によれば、別の値と比較される値は第１のパラメータであり、この別の値は第３のパラメータ値である。
【００１５】
したがって、シグナリングが抑えられる。
【００１６】
特定の特徴によれば、選択された方法を示す別の情報が転送される。
【００１７】
特定の特徴によれば、別の値と比較されるパラメータは第３のパラメータであり、この別の値は予め決定された閾値である。
【００１８】
したがって、どの方法が選択されるかを示す情報を転送する必要はない。シグナリングが簡略化される。
【００１９】
本発明は、基地局によって、無線通信ネットワークのどのリソースが移動局に割り当てられるかを移動局が識別できるようにする３つのパラメータの中の第１及び第２のパラメータを決定する方法であって、割り当てられるリソースは、少なくとも１つのリソースからなる第１のクラスタと少なくとも１つのリソースからなる第２のクラスタとに分割され、第１のクラスタ及び第２のクラスタは非連続的であって同数のリソースを含む、方法において、前記方法は、前記移動局によって実行される複数のステップとして、
第１及び第２のパラメータから得られる情報を受信するステップと、
第３のパラメータを受信するステップと、
第１及び第２のパラメータから得られる情報が取り得る各種値を示す第１及び第２の方法の中から１つの方法を選択するステップと、
前記情報と、選択された方法とに基づいて、第１及び第２のパラメータを決定するステップと
第１、第２、第３のパラメータから、割り当てられたリソースを識別するステップと、を含むことを特徴とする方法にも関する。
【００２０】
本発明は、無線通信ネットワークのどのリソースが基地局によって移動局に割り当てられるかを移動局が識別できるようにする３つのパラメータの中の第１及び第２のパラメータを決定する装置であって、割り当てられるリソースは、少なくとも１つのリソースからなる第１のクラスタと、少なくとも１つのリソースからなる第２のクラスタとに分割され、第１のクラスタ及び第２のクラスタは非連続的であって同数のリソースを含む、装置において、第１および第２のパラメータを決定する装置は移動局に含まれ、前記装置は、
第１及び第２のパラメータから得られる情報を受信する手段と、
第３のパラメータを受信する手段と、
第１及び第２のパラメータから得られる情報が取り得る各種値を示す第１及び第２の方法の中から１つの方法を選択する手段と、
前記情報と、選択された方法とに基づいて、第１及び第２のパラメータを決定する手段と
第１、第２、第３のパラメータから、割り当てられたリソースを識別する手段と、を含むことを特徴とする装置にも関する。
【００２１】
したがって、割り当てられるリソースのシグナリングを少なくして、無線通信ネットワークの非連続的なリソースを移動局に割り当てることができる。
【００２２】
特定の機能によれば、選択された方法は、選択された方法を示す別の受信情報から選択される。
【００２３】
更に別の様態によれば、本発明は、プログラム可能な装置に直接ロード可能とすることができるコンピュータプログラムであって、コンピュータプログラムがプログラム可能な装置において実行されるときに、本発明に係る方法におけるステップを実施するためのコード部分又は命令を含むコンピュータプログラムに関する。
【００２４】
コンピュータプログラムに関係する機能及び利点は、本発明に係る方法及び装置に関連する前述した内容と同じであるので、ここでは省略する。
【００２５】
本発明の特徴は、以下に示す例示的な実施形態の説明を読めばより明らかになるであろう。以下の内容は添付の図面を参照しながら説明する。
【図面の簡単な説明】
【００２６】
【図１】本発明が実施される無線セルラー通信ネットワークを表す。
【図２】本発明が実施される基地局のアーキテクチャを示す図である。
【図３】本発明が実施される移動局のアーキテクチャを示す図である。
【図４】周波数領域において本発明の特定の実施形態に係る１つ又は複数の伝送アンテナを備える移動局に含まれる符号器のアーキテクチャを示す。
【図５】本発明の特定の実施形態に係る１つ又は複数の受信アンテナを備える基地局における復号器のアーキテクチャを示す。
【図６ａ】本発明に係るパラメータと、移動局に割り当てられた２つのリソースブロックグループクラスタの例とを示す。
【図６ｂ】本発明に係るパラメータと、移動局に割り当てられた２つのリソースブロックグループクラスタの例とを示す。
【図７ａ】どのリソースブロックグループが移動局に割り当てられるかを移動局が識別できるようにする２つのパラメータから得られる情報が取り得る各種値を示す方法を選択するために第１の判定基準が使用される場合に移動局に割り当てられたリソースブロックグループを表す３つのパラメータを示すために基地局によって実行されるアルゴリズムの例を開示する。
【図７ｂ】どのリソースブロックグループが移動局に割り当てられるかを移動局が識別できるようにする２つのパラメータから得られる情報が取り得る各種値を示す方法を選択するために第２の判定基準が使用される場合に移動局に割り当てられたリソースブロックグループを表す３つのパラメータを示すために基地局によって実行されるアルゴリズムの例を開示する。
【図８】第１のパラメータの２倍と、第２のパラメータとの和が制限される場合に、正の整数の２つのパラメータを表現するのに必要な情報ビット量を抑えるように選択された単一の値を送信することにより、２つのパラメータをシグナリングする方法を示す。
【図９】第１のパラメータの２倍と、第２のパラメータとの和が制限される場合に、制限(bound)に１を加えた値が奇数となる際に２つのパラメータを表現するのに必要な情報ビット量を抑えるために、２つのパラメータが取る値を配置する方法を改良したものを示す。
【図１０ａ】どのリソースブロックグループが移動局に割り当てられるかを移動局が識別できるようにする２つのパラメータから取得される情報が取り得る各種値を示す第１の方法を表す。本発明の第１の判定基準に従ってこの方法または図１０ｂの方法が選択される。
【図１０ｂ】どのリソースブロックグループが移動局に割り当てられるかを移動局が識別できるようにする２つのパラメータから取得される情報が取り得る各種値を示す第２の方法を表す。本発明の第１の判定基準に従ってこの方法または図１０ａの方法が選択される。
【図１１ａ】どのリソースブロックグループが移動局に割り当てられるかを移動局が識別できるようにする２つのパラメータから取得される情報が取り得る各種値を示す第３の方法を表す。物理的なリソースブロックのグループ数が奇数である場合は、本発明の第１の判定基準に従ってこの方法または図１１ｂの方法が選択される。
【図１１ｂ】どのリソースブロックグループが移動局に割り当てられるかを移動局が識別できるようにする２つのパラメータから取得される情報が取り得る各種値を示す第２の方法を表す。物理的なリソースブロックのグループ数が奇数である場合は、本発明の第１の判定基準に従ってこの方法または図１１ａの方法が選択される。
【図１２ａ】どのリソースブロックグループが移動局に割り当てられるかを移動局が識別できるようにする２つのパラメータから得られる情報が取り得る各種値を示す第１の方法を表す。本発明の第２の判定基準に従ってこの方法または図１２ｂの方法が選択される。
【図１２ｂ】どのリソースブロックグループが移動局に割り当てられるかを移動局が識別できるようにする２つのパラメータから得られる情報が取り得る各種値を示す第２の方法を表す。本発明の第２の判定基準に従ってこの方法または図１２ａの方法が選択される。
【図１３ａ】どのリソースブロックグループが移動局に割り当てられるかを移動局が識別できるようにする２つのパラメータから得られる情報が取り得る各種値を示す第３の方法を示す。物理的なリソースブロック数が奇数である場合は、本発明の第２の判定基準に従ってこの方法または図１３ｂの方法が選択される。
【図１３ｂ】どのリソースブロックグループが移動局に割り当てられるかを移動局が識別できるようにする２つのパラメータから得られる情報が取り得る各種値を示す第２の方法を示す。物理的なリソースブロック数が奇数である場合は、本発明の第２の判定基準に従ってこの方法または図１３ａの方法が選択される。
【図１４ａ】本発明の第１の判定基準に係る基地局によって方法が選択される場合、移動局によって実行されるアルゴリズムの例を開示する。
【図１４ｂ】本発明の第２の判定基準に係る基地局によって方法が選択される場合、移動局によって実行されるアルゴリズムの例を開示する。
【発明を実施するための形態】
【００２７】
図１は本発明が実施される無線セルラー通信ネットワークを表している。
【００２８】
通信システムが無線セルラー通信システムである例を挙げて本発明を説明する。
【００２９】
本発明はまた、無線通信システム又は有線通信システム（ローカルエリアネットワーク等）に適用することも可能である。
【００３０】
その場合、基地局及び移動局は、放射器及び／又は受信機となる。
【００３１】
図１には、無線セルラー通信ネットワークの一基地局ＢＳと移動局ＭＳとが図示されている。
【００３２】
本発明では、移動局ＭＳによって使用される無線セルラー通信ネットワークのリソースが基地局ＢＳによって割り当てられる場合について説明する。
【００３３】
無線セルラー通信ネットワークのリソースは、無線セルラー通信ネットワークによって使用される周波数スペクトルである。周波数スペクトルは、例えば複数のリソースブロックグループに分解され、各リソースブロックは予め決められた数（例えば、１２）のサブキャリアを有する。
【００３４】
ここで、変形例では、リソースブロックを単一のサブキャリアから構成できることに留意されたい。
【００３５】
本発明はリソースブロックグループを使用して開示される。本発明はまた、リソースブロックグループが単一のリソースブロックで構成されている場合も適用可能である。又は、任意の種類のリソース割り当てにおいても適用可能である。
【００３６】
基地局ＢＳは、複数の基地局を含む無線セルラー通信ネットワークの基地局である。
【００３７】
明確にするため移動局ＭＳは１つしか図示していないが、無線セルラー通信ネットワークは、基地局ＢＳと通信する移動局ＢＳをこれより多く有してもよい。
【００３８】
基地局ＢＳはノード又はアクセスポイントと称することが可能である。
【００３９】
移動局ＭＳは、パーソナルコンピュータ、周辺装置（セットトップボックス等）、又は電話とすることができる。
【００４０】
本発明によれば、基地局ＢＳは次のことを行う。
‐パラメータの値のうち１つを別の値と比較する。
‐どのリソースブロックグループが移動局に割り当てられるかを移動局が識別できるようにする第１及び第２のパラメータから得られる情報が取り得る各種値を示す第１及び第２の方法の中から１つの方法を選択する。
‐選択された方法と、第１及び第２のパラメータから情報を決定する。
‐決定された情報を移動局に転送する。
本発明によれば、移動局は次のことを行う。
‐第１及び第２のパラメータから得られた情報を受信する。
‐第３のパラメータを受信する。
‐第１及び第２のパラメータから得られる情報が取り得る各種値を示す第１及び第２の方法の中から１つの方法を選択する。
‐情報と選択された方法とから、第１及び第２のパラメータを決定する。
‐第１、第２、及び第３のパラメータに基づいて、割り当てられたリソースを識別する。
【００４１】
図２は本発明が実施される基地局のアーキテクチャを示している。
【００４２】
基地局ＢＳのアーキテクチャは、例えば、バス２０１によって相互に連結される構成要素や図７ａ又は図７ｂに開示されるようなプログラムによって制御されるプロセッサ２００に基づいている。
【００４３】
ここで基地局ＢＳは専用の集積回路に基づくアーキテクチャを備えてもよいことに注目する必要がある。
【００４４】
バス２０１により、プロセッサ２００は、読み取り専用メモリＲＯＭ２０２、ランダムアクセスメモリＲＡＭ２０３、無線インターフェイス２０５、及びネットワークインターフェイス２０６とリンクしている。
【００４５】
メモリ２０３は、変数を収容することを意図するレジスタと、図７ａ又は図７ｂに開示されたアルゴリズムに関連するプログラムの命令とを含む。
【００４６】
プロセッサ２００は、ネットワークインターフェイス２０６及び無線インターフェイス２０５の動作を制御する。
【００４７】
読み取り専用メモリ２０２は、図７ａ又は図７ｂに開示されたアルゴリズムに関連するプログラムの命令を含む。これらの命令は、基地局ＢＳの電源が投入されたときにランダムアクセスメモリ２０３に転送される。
【００４８】
基地局ＢＳは、ネットワークインターフェイス２０６を介して通信ネットワークに接続してもよい。例えば、ネットワークインターフェイス２０６としては、ＤＳＬ（デジタル加入者線）モデムやＩＳＤＮ（デジタル総合サービス網）インターフェイス等がある。
【００４９】
無線インターフェイス２０５は、移動局ＭＳに割り当てられたサブキャリアを表す情報を転送する手段を備える。
【００５０】
無線インターフェイス２０５は図５に開示される復号器を備える。無線インターフェイス２０５は、図４に開示される符号器を備えてもよい。
【００５１】
図３は本発明が実施される移動局のアーキテクチャを示している。
【００５２】
移動局ＭＳのアーキテクチャは、例えば、バス３０１によって互いに連結される構成要素と、図１４ａ又は図１４ｂに開示されるようなプログラムによって制御されるプロセッサ３００とを備える。
【００５３】
ここで移動局ＭＳは、専用の集積回路に基づくアーキテクチャを備えてもよいことに注目する必要がある。
【００５４】
バス３０１により、プロセッサ３００は、読み取り専用メモリＲＯＭ３０２、ランダムアクセスメモリＲＡＭ３０３、及び無線インターフェイス３０５とリンクしている。
【００５５】
メモリ３０３は、変数を収容することを意図するレジスタと、図１４ａ又は図１４ｂに開示されたアルゴリズムに関連するプログラムの命令とを含む。
【００５６】
プロセッサ３００は、無線インターフェイス３０５の動作を制御する。
【００５７】
読み取り専用メモリ３０２は、図１４ａ又は図１４ｂに開示されたアルゴリズムに関連するプログラムの命令を含む。これらの命令は、移動局ＭＳの電源が投入されたときにランダムアクセスメモリ３０３に転送される。
【００５８】
無線インターフェイス３０５は、移動局ＭＳに割り当てられたサブキャリアのクラスタに含まれるサブキャリア上にデータをマップする手段を備える。
【００５９】
無線インターフェイス３０５は、図４に開示されたような符号器を備える。無線インターフェイス３０５は、図５に開示されたような復号器を含み得る。
【００６０】
図４は、周波数領域において本発明の特定の実施形態に係る１つ又は複数の送信アンテナを備える符号器のアーキテクチャを示す。
【００６１】
伝送されるべきデータは、コード化及び変調モジュール４０によって、シンボルとしてコード化及び編成され、シンボルの組ｘnが提供される。次に、信号は、周波数領域内でＤＦＴ（離散型フーリエ変換）モジュール４１によって拡散される。変形例では、ＤＦＴモジュールは、高速フーリエ変換モジュール又は他の任意の処理モジュールに置き換えられる。
【００６２】
ＯＦＤＭＡの場合、ＤＦＴモジュールが必要ない場合がある。
【００６３】
周波数領域で拡散されたシンボルは、周波数マッピングモジュール４２（この周波数マッピングモジュール４２は、転送されるべきデータをサブキャリアにマップする）によって、割り当てられた周波数帯域に含まれるサブキャリア上にマップされる。周波数マッピングモジュール４２は、ゼロ挿入機能及び／又は周波数シェーピング機能を備える。
【００６４】
周波数マッピングモジュール４２は、移動局ＭＳに割り当てられた周波数帯域にシンボルをマップする。各サブキャリアは、１つの連続したサブバンド内には割り当てられないので、周波数帯域は複数のクラスタに分離される。周波数マッピングモジュール４２は、移動局ＭＳに割り当てられた周波数帯域の様々なクラスタにシンボルを割り当てる。
【００６５】
図４において周波数マッピングモジュール４２は例を示す。この例では、Ｔ＝Ｔ0＋Ｔ1個のシンボルが２つのクラスタのＴ個のサブキャリアにマップされている。第１のクラスタは、ｎ0〜ｎ0＋Ｔ0−１と記載されたサブキャリアを含み、第２のクラスタはｎ1〜ｎ1＋Ｔ1−１と記載されたサブキャリアを含む。
【００６６】
周波数マッピングモジュール４２によって出力されるシンボルは、ＩＤＦＴ（逆離散フーリエ変換）モジュール４３によって時間ドメインに変換し戻される。
【００６７】
移動局ＭＳのアンテナを介した伝送の前に、オプションの巡回プレフィックス挿入モジュール４４を適用することが可能である。
【００６８】
図５は、本発明の特定の実施形態に係る装置の復号器のアーキテクチャを示す。
【００６９】
少なくとも１つの信号５７が、受信アンテナから受信される。同期モジュール５０は、受信された信号５７の同期を取る。
【００７０】
オプションの巡回プレフィックス除去モジュール５１は、同期された信号に対して巡回プレフィックスが使用されている場合は、それを除去する。
【００７１】
ＤＦＴモジュール５２は、巡回プレフィックスが除去されている又は除去されていない同期化された信号に対してＤＦＴを実行する。変形例では、ＤＦＴモジュールが、高速フーリエ変換モジュール又は他の任意の処理モジュールに置き換えられる。
【００７２】
チャネル推定モジュール５４は、ＤＦＴモジュール５２によって提供される信号に影響を与える。チャネル推定モジュール５４の出力は、イコライゼーションモジュール５３に命令を出す。イコライゼーションモジュール５３の出力は、逆ＤＦＴモジュール５５によって処理され、結果として生成された信号は従来のチャネル復号モジュール５６によって処理される。
【００７３】
ＯＦＤＭＡの場合、ＩＤＦＴモジュール５５は必要ない場合がある。変形例では、他の処理モジュールに置き換えてもよい。
【００７４】
復調及び復号モジュール５６は、シンボルを出力データに復調及び復号する。
【００７５】
図６ａは、本発明に係るパラメータと、移動局に割り当てられた２つのリソースブロックグループクラスタとの例を示す。
【００７６】
本発明によれば、移動局に割り当てられたリソースブロックグループクラスタは、連続していない。
【００７７】
図６ａの例では、２つのリソースブロックグループクラスタが、１つの移動局ＭＳに割り当てられている。
【００７８】
図６ａは、１３個のリソースブロックグループ（０〜１２）を開示している。
【００７９】
ピーク対平均電力比ＰＡＰＲの増大及びシグナリングオーバーヘッドの両方を抑制するには、サイズが等しい２つのクラスタを割り当てることが前提である。
【００８０】
本発明は、３つのパラメータを表す情報を定義することを意図する。３つのパラメータは、例えばアップリンク伝送の場合に、どのリソースブロックグループが移動局に割り当てられるかを、移動局等の受信機が識別できるようにする。
【００８１】
３つのパラメータを挙げると、移動局ＭＳに割り当てられた最初のリソースブロックグループクラスタの識別子Ｎと、移動局に割り当てられた各リソースブロックグループクラスタに含まれるリソースブロックグループの数Ｍと、移動局に割り当てられた２つのリソースブロックグループクラスタを隔てるリソースブロックグループの数Ｌである。図６ａの例によれば、Ｎ＝３、Ｍ＝３、Ｌ＝４である。
【００８２】
図６ｂは、本発明に係るパラメータと、移動局に割り当てられた２つのリソースブロックグループクラスタとの例を示す。
【００８３】
本発明によれば、移動局に割り当てられる２つのリソースブロックグループクラスタは連続していない。
【００８４】
図６ｂの例では、図６ａと同じリソースブロックグループクラスタが、１つの移動局ＭＳに割り当てられている。
【００８５】
本発明は、３つのパラメータを表す情報を定義することを意図する。３つのパラメータは、例えばアップリンク伝送の場合に、どのリソースブロックループが移動局に割り当てられるかを、移動局等のレシーバが識別できるようにする。
【００８６】
３つのパラメータを挙げると、移動局に割り当てられた２つのリソースブロックグループクラスタを隔てる最初のリソースブロックグループを識別する識別子Ｐと、移動局に割り当てられた各リソースブロックグループクラスタに含まれるリソースブロックグループの数Ｍと、移動局に割り当てられた２つのリソースブロックグループクラスタを隔てるリソースブロックグループの数Ｌである。図６ｂの例によればＰ＝６、Ｍ＝３、Ｌ＝４である。
【００８７】
図７ａは、基地局によって実行されるアルゴリズムの例を開示する。このアルゴリズムは、３つのパラメータを示すために実行される。３つのパラメータは、どのリソースブロックグループが移動局に割り当てられるかを移動局が識別できるようにする２つのパラメータから得られる情報が取り得る各種値を示す方法を選択するために第１の判定基準が使用される場合に移動局に割り当てられたリソースブロックグループを表す。
【００８８】
例えば、本アルゴリズムについて、基地局ＢＳのプロセッサ２００によって実行された場合について説明する。
【００８９】
本アルゴリズムは、基地局ＢＳによって処理される移動局ＭＳにサブキャリアのクラスタが割り当てられるたびに実行される。
【００９０】
ステップＳ７００では、プロセッサ２００はリソースブロックグループを移動局ＭＳに割り当てる。割り当て対象のリソースブロックグループは、例えば、チャネル条件に従って、及び／又は必要なサービス品質に従って割り当てられる。割り当てられたリソースブロックグループは、同数のリソースブロックのグループを含む２つのクラスタに分割される。
【００９１】
次のステップＳ７０１では、プロセッサ２００は３つのパラメータを決定し、その３つのパラメータにより、移動局ＭＳはどのリソースブロックグループが移動局ＭＳに割り当てられるかを識別することができる。
【００９２】
次のステップＳ７０２では、プロセッサ２００は、少なくとも第１及び第２の方法の中から、３つのパラメータ（Ｍ、Ｎ、Ｌ）又は（Ｌ、Ｐ、Ｍ）を表す情報を決定する１つの方法を決定する。
【００９３】
本発明で実現する第１のモードによれば、プロセッサ２００は、少なくとも２つのパラメータの値を考慮に入れる第１の判定基準に従って方法を選択する。
【００９４】
例えば、Ｌ≦Ｍの場合、プロセッサ２００は図１０ａを参照して開示される第１の方法を選択し、そうでない場合、プロセッサ２００は図１０ｂを参照して開示される第２の方法を選択する。
【００９５】
図８では、第１のパラメータの２倍と第２のパラメータとの和が制限される場合に、正の整数の２つのパラメータを表現するのに必要な情報ビット量を抑えるように選択された単一の値を送信することにより、２つのパラメータをシグナリングする方法を示す。
【００９６】
図８に開示した例では、周波数リソースがＮRBG個のリソースブロックグループに分割されている。ここで、ＮRBGはリソースブロックの１３個のグループに等しい。
【００９７】
図８では、各列は、移動局ＭＳに割り当てられる最初のリソースブロックグループの識別子Ｎが取る様々な値を示し、各行は、移動局に割り当てられる各リソースブロックグループクラスタに含まれるリソースブロックグループの数Ｍを示す。
【００９８】
ＭとＬは少なくとも１であるので、最初のリソースブロックグループの識別子Ｎは、０から最大でＮRBG−３まで（すなわち１０まで）の範囲で変化する。
【００９９】
Ｍが１のとき、ＮはＮＵＬＬ〜１０の範囲で変化する。
【０１００】
Ｍが２のとき、ＮはＮＵＬＬ〜８の範囲で変化する。
【０１０１】
Ｍが３のとき、ＮはＮＵＬＬ〜６の範囲で変化する。
【０１０２】
Ｍが４のとき、ＮはＮＵＬＬ〜４の範囲で変化する。
【０１０３】
Ｍが５のとき、ＮはＮＵＬＬ〜２の範囲で変化する。
【０１０４】
Ｍが６のとき、ＮはＮＵＬＬである。
【０１０５】
図８から分かるように、Ｎ及びＭは、どんな値でも取れるわけではない。Ｎ及びＭを表現するのに別々の情報ビットを用いる場合には、Ｎを表現するのに４ビット、Ｍを表現するのに３ビットが必要である。
【０１０６】
情報ビット数を少なくするために、領域Ｐ２のＭ＝５の行及びＭ＝６の行を、領域Ｐ１のＭ＝２の行及びＭ＝３の行にシフトする。
【０１０７】
結果として、図１０ａに開示した様な配置が取得される。
【０１０８】
図１０ａは、どのリソースブロックグループが移動局に割り当てられるかを移動局が識別できるようにする２つのパラメータから取得される情報が取り得る各種値を示す第１の方法を表す。
【０１０９】
第１の方法では、第１のパラメータはＭ、第２のパラメータはＮ、第３のパラメータはＬである。
【０１１０】
図１０ａの下側の数字は、太線の境界で囲まれた領域内で第２のパラメータＮが取り得る各種値を示す。
【０１１１】
図１０ａの右側の数字は、太線の境界で囲まれた領域内で第１のパラメータＭが取り得る各種値を示す。
【０１１２】
図１０ａの上側の数字は、図１０ａの残りの部分において第２のパラメータＮが取り得る各種値を示す。
【０１１３】
図１０ａの左側の数字は、図１０ａの残りの部分において第１のパラメータＭが取り得る各種値を示す。
【０１１４】
対（Ｍ、Ｎ）ごとに、第１及び第２のパラメータから得られる情報が与えられる。対（Ｍ、Ｎ）の行と列の交差点に対応するセル内には、対（Ｍ、Ｎ）を表す第１及び第２のパラメータから得られる情報が示される。
【０１１５】
Ｍ≦ＭTH＝ｆｌｏｏｒ（Ｍmax／２）＋１である場合、対（Ｍ、Ｎ）の行と列の交差点に対応するセルは、太線の境界で囲まれた領域内に含まれない。ここで、ｆｌｏｏｒ（ｘ）はｘの整数部分であり、ＭmaxはＭが取り得る最大値であってＭmax＝ｆｌｏｏｒ（（ＮRBG−１）／２）である。
【０１１６】
対（Ｍ、Ｎ）の行と列の交差点に対応するセルが太線の境界で囲まれた領域内に含まれない場合、第１及び第２のパラメータから得られる情報ＲＩＶ1は、以下の式に従って算出される。
ＲＩＶ1＝（ＮRBG−２）（Ｍ−１）＋Ｎ
【０１１７】
対（Ｍ、Ｎ）の行と列の交差点に対応するセルが太線の境界で囲まれた領域内に含まれる場合、第１及び第２のパラメータから得られる情報ＲＩＶ1は、以下の式に従って算出される。
ＲＩＶ1＝（ＮRBG−２）（Ｍmax−Ｍ＋１）＋ＮRBG−３−Ｎ
【０１１８】
第１及び第２のパラメータから得られる情報を含まないセルは、対（Ｍ、Ｎ）が成立し得ないセルである。
【０１１９】
第１及び第２のパラメータから得られる情報ＲＩＶ1が３８種類の値を取る場合、この情報は６ビットで表現することが可能である。
【０１２０】
ここで、これと並列に第３のパラメータＬのバイナリ値が転送されることに注目されたい。本発明によれば、Ｌ≦Ｍ≦Ｍmaxの場合に、この方法が使用される。図１０ａの例によれば、Ｍmaxは６であり、Ｌとして可能な値をシグナリングするには３ビットが必要である。
【０１２１】
図１０ｂは、どのリソースブロックグループが移動局に割り当てられるかを移動局が識別できるようにする２つのパラメータから取得される情報が取り得る各種値を示す第２の方法を表す。
【０１２２】
図１０ｂに開示した例では、周波数リソースがＮRBG個のリソースブロックグループに分割されている。ここで、ＮRBGは１３個のリソースブロックグループに等しい。
【０１２３】
図１０ｂでは、各列は、移動局ＭＳに割り当てられる２つのクラスタの間にある最初のリソースブロックグループの識別子Ｐが取る各種値を示し、各行は、移動局に割り当てられる２つのリソースブロックグループクラスタ間に含まれるリソースブロックグループの数Ｌを示す。
【０１２４】
第２の方法では、第１のパラメータはＬに等しく、第２のパラメータはＰに等しく、第３のパラメータはＭに等しい。
【０１２５】
識別子Ｐの範囲は１からＮRBG−２までであり、Ｌの範囲は１から１０までである。
【０１２６】
図１０ｂの下側の数字は、太線の境界で囲まれた領域内で第２のパラメータＰが取り得る各種値を示す。
【０１２７】
図１０ｂの右側の数字は、太線の境界で囲まれた領域内で第１のパラメータＬが取り得る各種値を示す。
【０１２８】
図１０ｂの上側の数字は、図１０ｂの残りの部分において第２のパラメータＰが取り得る各種値を示す。
【０１２９】
図１０ｂの左側の数字は、図１０ｂの残りの部分において第１のパラメータＬが取り得る各種値を示す。
【０１３０】
対（Ｌ、Ｐ）ごとに、第１及び第２のパラメータから得られる情報が与えられる。対（Ｌ、Ｐ）の行と列の交差点に対応するセル内には、対（Ｌ、Ｐ）を表す第１及び第２のパラメータから得られる情報が示される。
【０１３１】
Ｌ≦ＮRBG／２の場合、対（Ｌ、Ｐ）の行と列の交差点に対応するセルは、太線の境界で囲まれた領域内に含まれない。
【０１３２】
対（Ｌ、Ｐ）の行と列の交差点に対応するセルが太線の境界で囲まれた領域内に含まれない場合、第１及び第２のパラメータから得られる情報ＲＩＶ2は、以下の式に従って算出される。
ＲＩＶ2＝（ＮRBG−２）（Ｌ−１）＋Ｐ−１
【０１３３】
対（Ｌ、Ｐ）の行と列の交差点に対応するセルが太線の境界で囲まれた領域内に含まれる場合、第１及び第２のパラメータから得られる情報ＲＩＶ2は、以下の式に従って算出される。
ＲＩＶ2＝（ＮRBG−２）（ＮRBG−Ｌ−１）＋ＮRBG−２−Ｐ
【０１３４】
第１及び第２のパラメータから得られる情報ＲＩＶ2は６６種類の値を取るので、この情報は７ビットで表現することが可能である。
【０１３５】
これと並列に、第３のパラメータＭの値のバイナリ値が転送される。Ｍは６つの値を取り、３ビットで表される。
【０１３６】
ＭとＬとの間で最も小さな値が並列に転送される。２Ｍ＋ＬはＮRBGより常に小さく、ｍｉｎ（Ｍ、Ｌ）≦ｆｌｏｏｒ（ＮRBG／３）となるので、並列に転送される値についてはｃｅｉｌ（ｌｏｇ２（ｆｌｏｏｒ（ＮRBG／３）））ビットが必要である。対象となる方法のいずれを使用するかを示すには、追加で更に１ビットが必要となる。
【０１３７】
１≦Ｍ＜Ｌの場合、即ち、Ｌ≧２の場合に限り、第２の方法が選択されることに注目されたい。したがって、図１０ｂの第１の行は削除することができる。本発明で実現する当該特定のモードによれば、対（Ｌ、Ｐ）の行と列の交差点に対応するセルが、太線の境界で囲まれた領域内に含まれない場合、第１及び第２のパラメータから得られる新しい情報ＲＩＶ2bisは、以下の式に従って算出される。
ＲＩＶ2bis＝（ＮRBG−２）（Ｌ−２）＋Ｐ−１
【０１３８】
対（Ｌ、Ｐ）の行と列の交差点に対応するセルが、太線の境界で囲まれた領域内に含まれる場合、第１及び第２のパラメータから得られる情報ＲＩＶ2bisは、以下の式に従って算出される。
ＲＩＶ2bis＝（ＮRBG−２）（ＮRBG−Ｌ−２）＋ＮRBG−２−Ｐ
【０１３９】
第１及び第２のパラメータから得られる情報ＲＩＶ2bisは５６種類の値を取るので、この情報は６ビットで表現することが可能である。
【０１４０】
別の例によれば、リソース要素のブロックのグループ数が奇数である場合、プロセッサ２００は、Ｌ≦Ｍならば図１１ａを参照して開示される第３の方法を選択し、そうでなければ、図１１ｂを参照して開示される第２の方法を選択する。
【０１４１】
図９では、第１のパラメータの２倍と、第２のパラメータとの和が制限される場合、制限(bound)に１を加えた値が奇数となる際に２つのパラメータを表現するのに必要な情報ビット量を抑えるために、２つのパラメータが取る値を配置する方法を改良したものを示す。
【０１４２】
図９に開示した例では、周波数リソースがＮRBG個のリソースブロックグループに分割されている。ここで、ＮRBGは１３個のリソースブロックグループに等しい。
【０１４３】
図９では、各列は、移動局ＭＳに割り当てられる最初のリソースブロックグループの識別子Ｎが取る各種値を示し、各行は、移動局に割り当てられる各リソースブロックグループクラスタに含まれるリソースブロックグループの数Ｍを示す。
【０１４４】
ＭとＬは少なくとも１であるので、最初のリソースブロックグループの識別子Ｎは、０から最大でＮRBG−３まで（すなわち１０まで）の範囲で変化する。
【０１４５】
Ｍが１のとき、ＮはＮＵＬＬ〜１０の範囲で変化する。
【０１４６】
Ｍが２のとき、ＮはＮＵＬＬ〜８の範囲で変化する。
【０１４７】
Ｍが３のとき、ＮはＮＵＬＬ〜６の範囲で変化する。
【０１４８】
Ｍが４のとき、ＮはＮＵＬＬ〜４の範囲で変化する。
【０１４９】
Ｍが５のとき、ＮはＮＵＬＬ〜２の範囲で変化する。
【０１５０】
Ｍが６のとき、ＮはＮＵＬＬである。
【０１５１】
図９から分かるように、Ｎ及びＭは、どんな値でも取れるわけではない。Ｎ及びＭを別々の情報ビットで表現する場合は、Ｎを表現するのに４ビット、Ｍを表現するのに３ビットが必要である。
【０１５２】
情報ビット数を少なくするには、領域Ｐ２’のＭ＝４からＭ＝６までの各行を、領域Ｐ１’のＭ＝１からＭ＝３までの各行にシフトする。
【０１５３】
結果として、図１１ａに開示したような配置が得られる。
【０１５４】
図１１ａは、物理リソースブロックグループ数が奇数のとき、どのリソースブロックグループが移動局に割り当てられるかを移動局が識別できるようにする２つのパラメータから取得される情報が取り得る各種値を示す第３の方法を表す。
【０１５５】
図１１ａの下側の数字は、太線の境界で囲まれた領域内で第２のパラメータＮが取り得る各種値を示す。
【０１５６】
図１１ａの右側の数字は、太線の境界で囲まれた領域内で第１のパラメータＭが取り得る各種値を示す。
【０１５７】
図１１ａの上側の数字は、図１１ａの残りの部分において第２のパラメータＮが取り得る各種値を示す。
【０１５８】
図１１ａの左側の数字は、図１１ａの残りの部分において第１のパラメータＭが取り得る各種値を示す。
【０１５９】
対（Ｍ、Ｎ）ごとに、第１及び第２のパラメータから得られる情報が与えられる。対（Ｍ、Ｎ）の行と列の交差点に対応するセル内には、対（Ｍ、Ｎ）を表す第１及び第２のパラメータから得られる情報が示される。
【０１６０】
Ｍ≦Ｍ’TH＝ｃｅｉｌ（Ｍmax／２）の場合、対（Ｍ、Ｎ）の行と列の交差点に対応するセルは、太線の境界で囲まれた領域内に含まれない。ここでｃｅｉｌ（ｘ）は、厳密にｘより大きい整数のうち最小のものである。ＭmaxはＭが取り得る最大値でありＭmax＝ｆｌｏｏｒ（（ＮRBG−１）／２）である。ここで、ｆｌｏｏｒ（ｘ）は（ｘ）の整数部分である。
【０１６１】
対（Ｍ、Ｎ）の行と列の交差点に対応するセルが太線の境界で囲まれた領域内に含まれない場合、第１及び第２のパラメータから得られる情報ＲＩＶ3は、以下の式に従って算出される。
ＲＩＶ3＝（ＮRBG−１）（Ｍ−１）＋Ｎ
【０１６２】
対（Ｍ、Ｎ）の行と列の交差点に対応するセルが太線の境界で囲まれた領域内に含まれる場合、第１及び第２のパラメータから得られる情報ＲＩＶ3は、以下の式に従って算出される。
ＲＩＶ3＝（ＮRBG−１）（Ｍmax−Ｍ）＋ＮRBG−２−Ｎ
【０１６３】
第１及び第２のパラメータから得られる情報ＲＩＶ3は３６種類の値を取るので、この情報は６ビットで表現することが可能である。
【０１６４】
図１１ｂは、どのリソースブロックグループが移動局に割り当てられるかを移動局が識別できるようにする２つのパラメータから取得される情報が取り得る各種値を示す第２の方法を表す。
【０１６５】
図１１ｂは図１０ｂと同一であるため、これ以上の説明は省略する。
【０１６６】
既に開示したように、１≦Ｍ＜Ｌの場合、即ち、Ｌ≧２の場合に限り、第２の方法が選択されることに注目されたい。よって、図１１ｂの第１の行は削除することができる。
【０１６７】
本発明で実現する当該特定のモードによれば、対（Ｌ、Ｐ）の行と列の交差点に対応するセルが、太線の境界で囲まれた領域内に含まれない場合、第１及び第２のパラメータから得られる新しい情報ＲＩＶ2bisは、すでに開示したように算出される。
【０１６８】
前述の例では、第１又は第３の方法を選択した場合はパラメータＬ値のバイナリ値が並列に転送され、第２の方法を選択した場合はパラメータＭのバイナリ値が並列に転送されるということに留意されたい。したがって、ＭとＬのうち小さいほうの値は並列に転送される。２Ｍ＋ＬはＮRBGより常に小さく、ｍｉｎ（Ｍ、Ｌ）≦ｆｌｏｏｒ（ＮRBG／３）となるので、並列に転送される値に必要なビット数は、ｃｅｉｌ（ｌｏｇ２（ｆｌｏｏｒ（ＮRBG／３）））ビットに低減できる。対象となる方法のいずれを使用するかを示すには、追加で更に１ビットが必要となる。
【０１６９】
次のステップＳ７０３で、プロセッサ２００は選択された方法を適用する。
【０１７０】
次のステップＳ７０４では、プロセッサ２００は、第１及び第２の方法の中からどの方法が選択されているかを示す情報ビット、または、第３及び第２の方法の中からどの方法が選択されているかを示す情報ビットの転送を命令する。
【０１７１】
次のステップＳ７０５では、プロセッサ２００は、３つのパラメータを表す情報（即ち、第１及び第２のパラメータから得られる決定された情報と、Ｍ及びＬのうち小さいほうの値と、使用されている方法を示す情報ビットと）を移動局に転送するための命令を出す。
【０１７２】
図７ｂでは、基地局によって実行されるアルゴリズムの例を開示する。このアルゴリズムは、３つのパラメータを示すために実行される。３つのパラメータは、どのリソースブロックグループが移動局に割り当てられているかを移動局が識別できるようにする２つのパラメータから得られた情報が取り得る各種値を示す方法を選択するために第２の判定基準が使用される場合、移動局に割り当てられるリソースブロックグループを表す。
【０１７３】
例えば、本アルゴリズムは、基地局ＢＳのプロセッサ２００によって実行される場合について説明する。
【０１７４】
本アルゴリズムは、サブキャリアのクラスタが、基地局ＢＳによって処理される移動局ＭＳに割り当てられるたびに実行される。
【０１７５】
ステップＳ７５０では、プロセッサ２００はリソースブロックグループを移動局ＭＳに割り当てる。割り当て対象のリソースブロックグループは、例えば、チャネル条件に従って、及び／又は必要なサービス品質に従って割り当てられる。割り当てられたリソースブロックグループは、同数のリソースブロックグループを含む２つのクラスタに分割される。
【０１７６】
次のステップＳ７５１では、プロセッサ２００は３つのパラメータを決定し、その３つのパラメータにより、移動局はどのリソースブロックグループが移動局に割り当てられるかを識別することができる。
【０１７７】
次のステップＳ７５２では、プロセッサ２００は、３つのパラメータ（Ｎ又はＰ、Ｍ、Ｌ）を表す情報を決定するための１つの方法を、少なくとも第１及び第２の方法の中から決定する。
【０１７８】
本発明で実現する第２のモードによれば、プロセッサ２００は、１つのパラメータの値を考慮に入れる第２の判定基準に従って方法を選択する。
【０１７９】
例えば、Ｌ≦ＴＨ（ただしＴＨは閾値）の場合、プロセッサ２００は図１２ａを参照して開示される第１の方法を選択し、そうでない場合、プロセッサ２００は図１２ｂを参照して開示される第２の方法を選択する。
【０１８０】
図１２ａは、ＴＨが８に等しい場合の例において、どのリソースブロックグループが移動局に割り当てられるかを移動局が識別できるようにする２つのパラメータから得られる情報が取り得る各種値を示す第１の方法を表す。
【０１８１】
図１２ａは、Ｌ≦ＴＨの場合に、どのリソースブロックグループが移動局に割り当てられるかを移動局が識別できるようにする２つのパラメータから得られる情報を表す。
【０１８２】
図１２ａは図１０ａと同じであるので、これ以上の説明は省略する。
【０１８３】
対（Ｍ、Ｎ）の行及び列の交差点に対応するセルが太線の境界で囲まれた領域内に含まれない場合、第１及び第２のパラメータから得られる情報ＲＩＶ4は、次の式に従って算出される。この情報ＲＩＶ4は、第１及び第２のパラメータから得られる情報ＲＩＶ1に等しい。
ＲＩＶ4＝（ＮRBG−２）（Ｍ−１）＋Ｎ
【０１８４】
対（Ｍ、Ｎ）の行及び列の交差点に対応するセルが太線の境界で囲まれた領域内に含まれる場合、第１及び第２のパラメータから得られる情報ＲＩＶ4は、次の式に従って算出される。
ＲＩＶ4＝（ＮRBG−２）（Ｍmax−Ｍ＋１）＋ＮRBG−３−Ｎ
【０１８５】
第１及び第２のパラメータから得られる情報を含まないセルは、対（Ｍ、Ｎ）が成立し得ないセルである。
【０１８６】
第１及び第２のパラメータから得られる情報ＲＩＶ4は最大で３７の値を取るので、この情報は６ビットで表現することが可能である。
【０１８７】
図１２ａに開示された方法が選択される場合、第３のパラメータＬが並列に転送される。
【０１８８】
図１２ｂは、ＴＨが８に等しい場合の例において、どのリソースブロックグループが移動局に割り当てられるかを移動局が識別できるようにする２つのパラメータから得られる情報が取り得る各種値を示す第２の方法を表す。
【０１８９】
識別子Ｐの範囲は１からＮRBG−２までであり、Ｌの範囲はＴＨ＋１からＮRBG−２までである。
【０１９０】
図１２ｂの下側の数字は、太線の境界で囲まれた領域内で第２のパラメータＰが取り得る各種値を示す。
【０１９１】
図１２ｂの右側の数字は、太線の境界で囲まれた領域内で第１のパラメータＬが取り得る各種値を示す。
【０１９２】
図１２ｂの上側の数字は、図１２ｂの残りの部分において第２のパラメータＰが取り得る各種値を示す。
【０１９３】
図１２ｂの左側の数字は、図１２ｂの残りの部分において第１のパラメータＬが取り得る各種値を示す。
【０１９４】
対（Ｌ、Ｐ）ごとに、第１及び第２のパラメータから得られる情報が与えられる。対（Ｌ、Ｐ）の行と列の交差点に対応するセル内には、対（Ｌ、Ｐ）を表す第１及び第２のパラメータから得られる情報が示される。
【０１９５】
【数１】
2011182385.tif 000003
の場合、対（Ｌ、Ｐ）の行と列の交差点に対応するセルは、太線の境界で囲まれた領域内に含まれない。
【０１９６】
対（Ｌ、Ｐ）の行と列の交差点に対応するセルが太線の境界で囲まれた領域内に含まれない場合、第１及び第２のパラメータから得られる情報ＲＩＶ5は、以下の式に従って算出される。
ＲＩＶ5＝（ＮRBG−２）（Ｌ−ＴＨ＋ＭTH−１）＋Ｐ−１
ここで、ＭTH＝ｆｌｏｏｒ（Ｍmax／２）＋１
【０１９７】
対（Ｌ、Ｐ）の行と列の交差点に対応するセルが太線の境界で囲まれた領域内に含まれる場合、第１及び第２のパラメータから得られる情報ＲＩＶ5は、以下の式に従って算出される。
ＲＩＶ5＝（ＮRBG−２）（ＮRBG−２−Ｌ＋ＭTH）＋ＮRBG−２−Ｐ
【０１９８】
第１及び第２のパラメータから得られる情報を含まないセルは、対（Ｌ、Ｐ）が取り得ない値に対応する。
【０１９９】
図１２ｂに開示された方法が選択された場合、第３のパラメータＭが並列に転送される。
【０２００】
第１及び第２のパラメータから得られる情報の値（５６より小さい正の値）をシグナリングするには、最大で６ビットが必要である。全体では、９ビットが必要である。ＴＨの値が大きいとＲＩＶ5を表すビット数を減らすことができるが、Ｌ≦ＬTHの場合にＬを表すビット数が大きくなる。
【０２０１】
ＴＨの最適値として複数の値がある。ＴＨ値の最適な組は、以下を最小化する値の組として定義することができる。
ｃｅｉｌ（ｌｏｇ2（ＲＩＶ5＿ｍａｘ））＋ｃｅｉｌ（ｌｏｇ2（ＴＨ））
ここで
ＲＩＶ5＿ｍａｘ＝ＭTH（ＮRBG−２）＋ＬTH（ＮRBG−２）
【０２０２】
ＴＨは２、３、４、７、又は８となり得る。これらの値は全て、９ビットのシグナリングオーバーヘッドをもたらす。
【０２０３】
別の例では、ＮRBGが奇数の場合において、Ｌ≦ＴＨであればプロセッサ２００は図１３ａを参照して開示される第３の方法を選択し、そうでなければプロセッサ２００は図１３ｂを参照して開示される第２の方法を選択する。
【０２０４】
図１３ａ及び図１３ｂは、どのリソースブロックグループが移動局に割り当てられるかを移動局が識別できるようにする２つのパラメータから得られる情報が取り得る各種値を示す第３の方法及び第２の方法を示す。物理的なリソースブロック数が奇数である場合は、本発明の第２の判定基準に従ってこのうちの１つの方法が選択される。
【０２０５】
図１３に開示した例では、周波数リソースがＮRBG個のリソースブロックグループに分割されている。ここで、ＮRBGは１３個のリソースブロックグループに等しく、閾値は８に等しい。
【０２０６】
図１３ａは、Ｌ≦ＴＨの場合に、どのリソースブロックグループが移動局に割り当てられるかを移動局が識別できるようにする２つのパラメータから取得される情報を表す。
【０２０７】
図１３ａは、図１１ａと同一であるため、これ以上の説明は省略する。
【０２０８】
対（Ｍ、Ｎ）の行及び列の交差点に対応するセルが太線の境界で囲まれた領域内に含まれない場合、第１及び第２のパラメータから得られる情報ＲＩＶ6は、次の式に従って算出される。情報ＲＩＶ6は、第１及び第２のパラメータから得られる情報ＲＩＶ3に等しい、
ＲＩＶ6＝（ＮRBG−１）（Ｍ−１）＋Ｎ
【０２０９】
対（Ｌ、Ｐ）の行及び列の交差点に対応するセルが太線の境界で囲まれた領域内に含まれる場合、第１及び第２のパラメータから得られる情報ＲＩＶ6は、次の式に従って算出される。
ＲＩＶ6＝（ＮRBG−１）（Ｍmax−Ｍ）＋ＮRBG−２−Ｎ
【０２１０】
図１３ａに開示した方法が選択された場合、パラメータＬが並列に転送される。
【０２１１】
図１３ｂは、Ｌ＞ＴＨの場合に、どのリソースブロックグループが移動局に割り当てられたかを移動局が識別できるようにする２つのパラメータから得られた情報を示す。
【０２１２】
最初のリソースブロックグループの識別子Ｐは、１からＮRBG−２までの範囲で変化し、ＬはＴＨ＋１からＮRBG−２までの範囲で変化する。
【０２１３】
図１３ｂの下側の数字は、太線の境界で囲まれた領域内でパラメータＰが取り得る各種値を示す。
【０２１４】
図１３ｂの右側の数字は、太線の境界で囲まれた領域内でパラメータＬが取り得る各種値を示す。
【０２１５】
図１３ｂの上側の数字は、図１３ｂの残りの部分においてパラメータＰが取り得る各種値を示す。
【０２１６】
図１３ｂの左側の数字は、図１３ｂの残りの部分においてパラメータＬが取り得る各種値を示す。
【０２１７】
対（Ｌ、Ｐ）ごとに、第１及び第２のパラメータから得られる情報が与えられる。対（Ｌ、Ｐ）の行と列の交差点に対応するセル内には、対（Ｌ、Ｐ）を表す第１及び第２のパラメータから得られる情報が示される。
【０２１８】
【数２】
2011182385.tif 000004
の場合、対（Ｌ、Ｐ）の行と列の交差点に対応するセルは、太線の境界で囲まれた領域内に含まれない。
【０２１９】
対（Ｌ、Ｐ）の行と列の交差点に対応するセルが太線の境界で囲まれた領域内に含まれない場合、第１及び第２のパラメータから得られる情報ＲＩＶ7は、以下の式に従って算出される。
ＲＩＶ7＝ＲＩＶ6_max＋（ＮRBG−２−ＴＨ）（Ｌ−ＴＨ−１）＋Ｐ
【０２２０】
対（Ｌ、Ｐ）の行と列の交差点に対応するセルが太線の境界で囲まれた領域内に含まれる場合、第１及び第２のパラメータから得られる情報ＲＩＶ7は、以下の式に従って算出される。
ＲＩＶ7＝ＲＩＶ6_max（ＮRBG−２−ＴＨ）（ＮRBG−１−Ｌ）＋ＮRBG−ＴＨ−Ｐ
【０２２１】
図１３ｂに開示した方法が選択された場合、パラメータＭは並列に転送される。
【０２２２】
ＴＨ値の最適な組は、以下の式を最小にする値の組として定義可能である。
【数３】
2011182385.tif 000005
ＲＩＶ6_maxは、可能な対（Ｍ、Ｎ）の総数であり、次の式で表される。
【数４】
2011182385.tif 000006
【０２２３】
図１３を参照して開示される２つのパラメータから得られる情報は、図１２ａを参照して開示される２つのパラメータから得られる情報と組み合わせて使用可能であることに注目されたい。
【０２２４】
次のステップＳ７５３では、選択された方法をプロセッサ２００が適用する。
【０２２５】
次のステップＳ７５４では、プロセッサ２００は、３つのパラメータを表す情報を移動局に転送する命令を出す。
【０２２６】
第１又は第３の方法について第１及び第２のパラメータ値から得られる情報は、第２の方法について第１及び第２のパラメータから得られる情報と異なるので、どの方法が選択されたかを移動局に通知することは不要であることに注目されたい。
【０２２７】
図１４ａは、本発明の第１の判定基準に従って基地局が１つの方法を選択した場合に、移動局によって実行されるアルゴリズムの例を開示する。
【０２２８】
より正確には、本アルゴリズムは移動局ＭＳのプロセッサ３００によって実行される。
【０２２９】
ステップＳ１４００では、移動局ＭＳは３つのパラメータを表す情報を受信する。
【０２３０】
ステップＳ１４０１では、移動局ＭＳは、基地局によってどの方法が選択されたかを示す情報ビットを受信する。
【０２３１】
次のステップＳ１４０２では、移動局ＭＳは、受信された情報ビットに対応する方法を選択する。
【０２３２】
次のステップＳ１４０３では、移動局ＭＳは、３つのパラメータを表す情報と、情報ビットとに基づき、３つのパラメータを取得する。
【０２３３】
第１及び第２のパラメータから得られる情報が第１の方法に従って算出されたことを情報ビットが示す場合、プロセッサ３００は第１及び第２のパラメータから得られる受信情報に基づいてパラメータＭ及びＮを決定する。これとは別に転送される値がＬに対応する。
【０２３４】
第１及び第２のパラメータから得られた情報が第２の方法に従って算出されたことを情報ビットが示している場合、プロセッサ３００は第１及び第２のパラメータから得られる受信情報に基づいてパラメータＬ及びＰを決定する。これとは別に転送される値がＭに対応する。
【０２３５】
第１及び第２のパラメータから得られた情報が式ＲＩＶ1で計算された場合、プロセッサ３００は、割り算ＲＩＶ1／（ＮRBG−２）の商の部分Ｑ＝ｆｌｏｏｒ（ＲＩＶ1／（ＮRBG−２））と余りの部分Ｒ＝ＲＩＶ1ｍｏｄ（ＮRBG−２）を算出することによってパラメータＭ及びＮを求める。ここで、Ａｍｏｄ（Ｂ）は、ＡモジュロＢ (A modulo B) の関数を示す。
【０２３６】
２Ｑ＋Ｒ≦ＮRBG−２の場合、Ｍ＝Ｑ＋１かつＮ＝Ｒとなる。
【０２３７】
２Ｑ＋Ｒ＞ＮRBG−２の場合、Ｍ＝Ｍmax＋１−ＱかつＮ＝ＮRBG−３−Ｒとなる。
【０２３８】
これとは別に転送される値がＬに対応する。
【０２３９】
第１及び第２のパラメータから得られる情報が式ＲＩＶ2に従って算出されていた場合、プロセッサ３００は、割り算ＲＩＶ2／（ＮRBG−２）の商の部分Ｑ＝ｆｌｏｏｒ（ＲＩＶ2／（ＮRBG−２））と余りの部分Ｒ＝ＲＩＶ2ｍｏｄ（ＮRBG−２）を算出することによってパラメータＬ及びＰを求める。
【０２４０】
Ｑ＋Ｒ≦ＮRBG−３の場合、Ｌ＝Ｑ＋１かつＰ＝Ｒ＋１となる。
【０２４１】
Ｑ＋Ｒ＞ＮRBG−３の場合、Ｌ＝ＮRBG−１−ＱかつＰ＝ＮRBG−２−Ｒとなる。
【０２４２】
これとは別に転送される値がＭに対応する。
【０２４３】
第１及び第２のパラメータから得られる情報が式ＲＩＶ3に従って算出されていた場合、プロセッサ３００は、割り算ＲＩＶ3／（ＮRBG−１）の商の部分Ｑ＝ｆｌｏｏｒ（ＲＩＶ3／（ＮRBG−１））と余りの部分Ｒ＝ＲＩＶ3ｍｏｄ（ＮRBG−１）を算出することによってパラメータＭ及びＮを求める。ここで、ｍｏｄ（ｘ）はｘのモジュロ(modulo of x)を示す。
【０２４４】
２Ｑ＋Ｒ≦ＮRBG−３の場合、Ｍ＝Ｑ＋１かつＮ＝Ｒとなる。
【０２４５】
２Ｑ＋Ｒ＞ＮRBG−３の場合、Ｍ＝Ｍmax−ＱかつＮ＝ＮRBG−２−Ｒとなる。
【０２４６】
これとは別に転送される値がＬに対応する。
【０２４７】
次のステップＳ１４０４において、移動局ＭＳは、３つのパラメータに対応するリソースブロックグループを識別する。
【０２４８】
図１４ｂは、本発明の第２の判定基準に従って基地局が１つの方法を選択した場合に、移動局によって実行されるアルゴリズムの例を開示する。
【０２４９】
より正確には、本アルゴリズムは移動局ＭＳのプロセッサ３００によって実行される。
【０２５０】
ステップＳ１４５０で、移動局ＭＳは３つのパラメータを表す情報を受信する。
【０２５１】
次のステップＳ１４５１で、移動局ＭＳは、第１及び第２のパラメータから得られる情報の値に対応する３つのパラメータを取得するための方法を選択する。
【０２５２】
図１２及び図１３に示すように、第１及び第２のパラメータ値から得られる情報は、それぞれ一義的に１つの方法に対応する。
【０２５３】
第１及び第２のパラメータから得られる情報の閾値は、移動局ＭＳのＲＡＭメモリ３０３に格納され得る。変形例では移動局ＭＳは閾値を算出する。
【０２５４】
次のステップＳ１４５２では、移動局ＭＳは、第１及び第２のパラメータから、及び並列に転送される第３のパラメータから得られる情報を基に３つのパラメータを取得する。
【０２５５】
第１及び第２のパラメータから得られる情報が式ＲＩＶ4に従って算出されていた場合、プロセッサ３００は、割り算ＲＩＶ4／（ＮRBG−２）の商の部分Ｑ＝ｆｌｏｏｒ（ＲＩＶ4／（ＮRBG−２））と余りの部分Ｒ＝ＲＩＶ4ｍｏｄ（ＮRBG−２）を算出することによってパラメータＭ及びＮを求める。ここで、ｍｏｄ（ｘ）はｘのモジュロを示す。
【０２５６】
２Ｑ＋Ｒ≦ＮRBG−２の場合、Ｍ＝Ｑ＋１かつＮ＝Ｒとなる。
【０２５７】
２Ｑ＋Ｒ＞ＮRBG−２の場合、Ｍ＝Ｍmax＋１−ＱかつＮ＝ＮRBG−３−Ｒとなる。
【０２５８】
Ｌは別に転送される第３のパラメータとして識別される。
【０２５９】
第１及び第２のパラメータから得られる情報が式ＲＩＶ5に従って算出されていた場合、プロセッサ３００は、割り算ＲＩＶ5／（ＮRBG−２）の商の部分Ｑ＝ｆｌｏｏｒ（ＲＩＶ5／（ＮRBG−２））と余りの部分Ｒ＝ＲＩＶ5ｍｏｄ（ＮRBG−２）を算出することによってパラメータＬ及びＰを求める。
【０２６０】
Ｑ＋Ｒ≦ＮRBG−３−ＴＨ＋ＭTHの場合、Ｌ＝Ｑ＋ＴＨ−ＭTH＋１かつＰ＝Ｒ＋１となる。
【０２６１】
Ｑ＋Ｒ＞ＮRBG−３−ＴＨ＋ＭTHの場合、Ｌ＝ＮRBG−２＋ＭＴＨ−ＱかつＰ＝ＮRBG−２−Ｒとなる。
【０２６２】
Ｍは別に転送される第３のパラメータとして識別される。
【０２６３】
第１及び第２のパラメータから得られる情報が式ＲＩＶ6に従って算出されていた場合、プロセッサ３００は、割り算ＲＩＶ6／（ＮRBG−１）の商の部分Ｑ＝ｆｌｏｏｒ（ＲＩＶ6／（ＮRBG−１））と余りの部分Ｒ＝ＲＩＶ6ｍｏｄ（ＮRBG−１）を算出することによってパラメータＭ及びＮを求める。ここで、ｍｏｄ（ｘ）は、ｘのモジュロを示す。
【０２６４】
２Ｑ＋１≦ＮRBG−３の場合、Ｍ＝Ｑ＋１かつＮ＝Ｒとなる。
【０２６５】
２Ｑ＋１＞ＮRBG−３の場合、Ｍ＝Ｍmax−ＱかつＮ＝ＮRBG−２−Ｒとなる。
【０２６６】
Ｌは別に転送される第３のパラメータとして識別される。
【０２６７】
第１及び第２のパラメータから得られる情報が式ＲＩＶ7に従って算出されていた場合、プロセッサ３００は、商の部分Ｑ＝ｆｌｏｏｒ｛（ＲＩＶ7−ＲＩＶ6_max）／（ＮRBG−２−ＴＨ）｝と余りの部分Ｒ＝｛（ＲＩＶ7−ＲＩＶ6_max）ｍｏｄ（ＮRBG−２−ＴＨ｝を算出することによってパラメータＬ及びＰを求める。
【０２６８】
Ｑ＋Ｒ≦ＮRBG−２−ＴＨの場合、Ｌ＝Ｑ＋ＴＨ＋１かつＰ＝Ｒとなる。
【０２６９】
Ｑ＋Ｒ＞ＮRBG−２−ＴＨの場合、Ｌ＝ＮRBG−１−ＱかつＰ＝ＮRBG−ＴＨ−Ｒとなる。
【０２７０】
Ｍは別に転送される第３のパラメータとして識別される。
【０２７１】
次のステップＳ１４５３で、移動局ＭＳは３つのパラメータに対応するリソースブロックグループを識別する。
【０２７２】
当然ながら、本発明の範囲から逸脱することなく、前述した発明の実施形態に対して多くの変更を加えることが可能である。
【０２７３】
例えば、２つのパラメータを表す情報が取る値は、事前に決定された値だけシフトさせることが可能である。
【０２７４】
補足ビットを追加することにより、シフト又は均等でないクラスタサイズをシグナリングすることが可能である。
【０２７５】
本明細書において、リソースブロックグループのレベルで適用された概念は全て、他のタイプの用途ではリソースブロックレベル又はサブキャリアレベルに変更することが可能である。
【図１】
2011182385.tif 000007
【図２】
2011182385.tif 000008
【図３】
2011182385.tif 000009
【図４】
2011182385.tif 000010
【図５】
2011182385.tif 000011
【図６ａ】
2011182385.tif 000012
【図６ｂ】
2011182385.tif 000013
【図７ａ】
2011182385.tif 000014
【図７ｂ】
2011182385.tif 000015
【図８】
2011182385.tif 000016
【図９】
2011182385.tif 000017
【図１０ａ】
2011182385.tif 000018
【図１０ｂ】
2011182385.tif 000019
【図１１ａ】
2011182385.tif 000020
【図１１ｂ】
2011182385.tif 000021
【図１２ａ】
2011182385.tif 000022
【図１２ｂ】
2011182385.tif 000023
【図１３ａ】
2011182385.tif 000024
【図１３ｂ】
2011182385.tif 000025
【図１４ａ】
2011182385.tif 000026
【図１４ｂ】
2011182385.tif 000027
【外国語明細書】
2011182385.tif 000028
2011182385.tif 000029
2011182385.tif 000030
2011182385.tif 000031
2011182385.tif 000032
2011182385.tif 000033
2011182385.tif 000034
2011182385.tif 000035
2011182385.tif 000036
2011182385.tif 000037
2011182385.tif 000038
2011182385.tif 000039
2011182385.tif 000040
2011182385.tif 000041
2011182385.tif 000042
2011182385.tif 000043
2011182385.tif 000044
2011182385.tif 000045
2011182385.tif 000046
2011182385.tif 000047
2011182385.tif 000048
2011182385.tif 000049
2011182385.tif 000050
2011182385.tif 000051
2011182385.tif 000052
2011182385.tif 000053
2011182385.tif 000054
2011182385.tif 000055
2011182385.tif 000056
2011182385.tif 000057
2011182385.tif 000058
2011182385.tif 000059
2011182385.tif 000060
2011182385.tif 000061
2011182385.tif 000062
2011182385.tif 000063
2011182385.tif 000064
2011182385.tif 000065
2011182385.tif 000066
2011182385.tif 000067
2011182385.tif 000068